(57)【特許請求の範囲】
【請求項１】
特定の流体を保持するための容器の部分（１２）を有するプラスッチクのアンプルであって、前記プラスチックのアンプルが、
前記容器の部分（１２）から延び、外周側面と内周側面とを有する首の部分（１４）と、
前記首の部分（１４）の開口部を密閉する、取り外し可能な頭の部分（１６）と、
カニューラ本体（４２）の内表面に対して相補的な部分を形成する前記外周側面に、少なくとも部分的に形成される、少なくとも一つの外側環状溝（２８）と、を備え、
前記外側環状溝（２８）が、前記首の部分（１４）と、前記首の部分（１４）と係号するカニューラ本体（４２）と、の間に、環状の自由空間を形成し、前記容器の部分（１２）から前記流体を取り出すときに、前記環状の自由空間が、空気を、容器の外から前記首の部分（１４）の開口部を通して前記容器の部分（１２）の内部（２６）に、遮らないで流すようにする、
プラスッチクのアンプル。
【請求項２】
前記外側環状溝（２８）が、前記首の部分（１４）のねじ山を設定できる区間にわたって螺旋状に形成されている、請求項１に記載のアンプル。
【請求項３】
螺旋状の前記外側環状溝（２８）が、入口点（３２）と出口点（３４）を有する、請求項２に記載のアンプル。
【請求項４】
メートル法による、又は台形状の、又はウィットネジ形式の前記外側環状溝（２８）の輪郭形状が形成される、請求項２又は３に記載のアンプル。
【請求項５】
溝形状の凹部を有する前記外側環状溝（２８）が、前記容器の部分（１２）の成形平面（４０）に位置する長手方向のばり（３８）により、少なくとも部分的に中断される、請求項１から４のいずれか一項に記載のアンプル。
【請求項６】
前記首の部分（１４）の外周側面上で、前記外側環状溝（２８）の外面に、ねじ山の潰れ防止として停止部分（３６）を備え、前記カニューラ本体の取付け部分のめねじ山（４６）を、前記首の部分（１４）の前記外側環状溝（２８）にねじ込む場合に、前記めねじ山（４６）の部分が前記停止部分（３６）に接することにより停止され、ねじ山の回転が円周方向に短縮されることによってねじ山の潰れを防止する、請求項１から５のいずれか一項に記載のアンプル。
【発明の詳細な説明】
【技術分野】
【０００１】
本発明は、特定の流体を保持するための容器の部分を有していて、頭の部分によって閉じられる首の部分を備えて、容器の部分の内部に侵入する空気のための溝状の導入点を有する、プラスチックアンプルに関する。
【背景技術】
【０００２】
特許文献１は、アンプルの首の部分に挿入される注射器の端部に、円錐体形状の抜き取りノズルを有する、注射器本体によってアンプルから抜き取られる液体(流体）のための形状の堅固なプラスチックアンプルを開示していて、円錐体に接触させようとする領域のアンプルの首の内部壁は、円錐体の壁とアンプルの首の内部壁との間を液体が通過するのを妨げ、環状ラインに沿って接触する密閉領域を備えている。従来の解決策において、アンプルの首の自由端部は、円錐体を装着している注射器本体の外面に対する接触表面として形成されており、首の長手方向において、注射器本体の外面が首の接触表面と境を接する場合に、首の内部壁に対する円錐体の接触圧力が、液体の移動に対しては障壁を維持しながら、円錐体の壁と首の内部壁との間に空気の導入を確保する数値に制限される。また、アンプルの首の自由端部は、注射器が注射器プランジャによって普通に引き上げられる場合は、抜き取り操作中のアンプルは通例逆立ちしている、つまり首の部分が下方に位置している場合でさえ液体を容易に手で抜き取ることが出来るように、密閉環状地帯から離間している。
【０００３】
しかし、注射器による迅速な抜き取り操作において、ある種の短絡（short）が発生しうる、すなわち、液体がアンプルの容器の部分に残ることと、もしもアンプルが薬液で完全には満たされていないならば、アンプルの容器の部分に少なくとも部分的に空気が貯蔵されていて、抜き取り操作において実質的に空気のみが、結果として注射器本体に吸入されることとが実地適用で示された。
【０００４】
上記発明で記載の解決策による試み、すなわち、隣接する内部壁の領域にわたって内部に向かって半径方向に突出する環状のビードを形成している注射器本体の円錐体と接触させようとする領域において、アンプルの首の内部壁によって外部から内部に空気導入の増加を達成することと、この方法で周囲の空気の導入点を増やすために、内部に開かれていて、アンプルの長手方向の軸に平行に伸びる少なくとも一つの長手方向の溝を有する内部に、円錐体と接触しようとする首の部分の区域を備えることとは、迅速な抜き取り操作における換気短絡の問題の効果的な解決を十分に立証していない。
【０００５】
さらに、特許文献2は、貯蔵アンプルから注入可能な液体で注射器又はカニューラを満たすための操作を開示していて、液体が第一連結要素を通り開口部を介して円筒容器に流れて注射器又はカニューラを充填するような、第一連結要素と注射器の内部円筒容器に接続される（ルーラロックシステム）開口部とを注射器が備えており、この方法によって、液洩れの無い密閉された接続が達成され、従ってアンプルは、注射器の又はカニューラの本体による抜き取り操作で、負圧下で変形する弾性壁を備えることが出来て、抜き取り操作を確実にする。既存の装置を用いた空気気密にする適切な抜き取り操作は、結果として形状の堅固なアンプルに適用させることが出来ず、「変形させることが出来るアンプル壁」の結果は、注射器による抜き取り操作においてアンプルの中が負圧になって、内容物が必然的にアンプルの中に再び吸い戻される。
【０００６】
【特許文献１】独国特許発明第３９１６８４０号明細書
【特許文献２】米国特許５７１６３４６号明細書
【非特許文献１】「ISO規格594/1」，1986年6月15日，第一版
【非特許文献２】「ISO規格594/2」，1991年3月1日，第一版，二部のロックフィティング
【発明の開示】
【発明が解決しようとする課題】
【０００７】
この先行技術に基づいて、本発明の目的は、アンプル本体に流体の確実な貯蔵の可能性を与えるような、さらに、注射器の又はカニューラの本体による、いかなる抜き取り速度においても、確実な充填が達成されるような、上記で参照した一般的なアンプル構造をさらに改善することである。この目的は、完全に請求項1に明記された特徴を有するアンプルによって達成される。
【課題を解決するための手段】
【０００８】
請求項１の特徴付ける箇所に明記されているように、空気のための導入点は、少なくとも一つの環状溝からなっていて、環状溝は、アンプルの首の部分の外周側面及び／又は内周側面に少なくとも部分的に形成されていて、容器の部分の内部に周囲の空気が侵入することが出来る可能性は非常に高くなり、その結果、注射器の又はカニューラの本体を操作するプランジャの抜き取り速度に関係しない方法で、薬液状のアンプル内容物の確実で完全な取り出しが実施されて、抜き取り操作で述べられた短絡が、本発明に記載の解決策で確実に防止される。
【０００９】
流入すべき空気のために首の部分に作られた環状溝によって、抜き取る液体が、抜き取り操作において首の部分の外周側面上を流れる周囲に、一種の渦巻型ガイドが形成される。流体工学の見地から、これは抜き取り操作にとって好都合である。好ましくは、それぞれの環状溝が、首の部分のねじ山が設定できる区間にわたって、螺旋状に形成されて備えられることである。ここに、好ましくは螺旋状の環状溝が入口点と出口点を有するので、この方法で、唯一円錐形の抜き取りノズルが非特許文献1で確立されたルーラロック接続に関する特許文献１の要旨に従ってアンプルに取付けられる。しかし、本発明に記載のアンプルにおいて、非特許文献2で述べられているように、注射器本体とカニューラの接続もまた確立される。
【００１０】
本発明に記載のアンプルの別の好ましい実施形態において、溝形状の凹部を有するそれぞれの環状溝は、容器の部分の成形平面に位置する長手方向のばり（bridge）によって、少なくとも部分的に中断される。この方法によって、内容物と共にアンプルは、吹付け成形工程と充填工程によって、特に効果的にかつ経済的に得ることが出来て、さらに、環状溝のねじ山はそれ故に堅くなる。
【００１１】
本発明に記載のアンプルの別の好ましい実施形態において、首の部分の外周側面上でそれぞれの環状溝の外側に、ねじ山の潰れ防止として停止部分がある。詳細には、示めした非特許文献２により接続部材は、首の部分でアンプル上に確実に取付けられ、抜き取り操作の後で、障害物無しに首の部分からねじって取り外すことが出来る。
【００１２】
本発明に記載のアンプルは、概略の形状と任意の縮尺で描かれた図面を使用して以下に詳述する。
【発明を実施するための最良の形態】
【００１３】
図1は、吹付け成形工法で生産される形状の堅固なプラスチックアンプルの最上部分を示していて、アンプルには、注射器又はカニューラによって抜き取りが出来る薬液が入っている。適正なアンプルの容器の部分１２が、例として特許文献１の図1と2に、全体的に示される。容器の部分１２の最上部は、実質的に円筒状に形成された首の部分１４と隣接していて、首の部分は、自由端方向に少し傾斜（示されていない）した円錐状で供給されてもよい。アンプルの首の部分１４は、一体化して製作される頭の部分１６と隣接し、頭の部分は成形により製作されるトグル部分１８と一体化する。首の部分１４、頭の部分１６及びトグル部分１８は、容器の部分１２の充填に引き続き既存技術で成形されて、成形と同時に、液状の内容物を有する容器の部分１２は、滅菌状態で密閉される。首の開口部２０（図2を参照）を明確にするために、分離点が、首の部分１４と頭の部分１６との間に形成される。分離点２２を形成するために、首の部分１４と頭の部分１６とは、互いに面する側で円錐状に先細りにされる。もしも、トルグ部分１８を、容器の部分１２に対して手でひねるならば、頭の部分１６は、分離点で首の部分１４と切り離されて、首の部分の開口部２０は、流体の抜き取り操作のために開放される。
【００１４】
図１から３でさらに示されるように、首の部分１４は、容器の部分１２の内部２６に、空気を供給するための空気用の溝状の導入点を備えていて、空気用の溝状の導入点は、全体として２４で付番されている。図示された空気用の導入点２４は、二つの環状溝２８，３０から構成されていて、環状溝２８は首の部分１４の外周側面に位置していて、別の環状溝３０は内周（図2を参照）に位置する。さらに図1と2から分かるように、それぞれの環状溝２８、３０は、首の部分１４のねじ山を設定できる区間にわたってねじ山の形状で螺旋状に形成される。さらに、それぞれに螺旋の環状溝２８、３０は、入口点３２と出口点３４を有する。これは、注射器の又はカニューラの本体の接続部分をねじって着脱することを容易にしており、これは以下に詳述される。さらに、それぞれの環状溝２８、３０の輪郭形状は台形であって、ねじ山の１回転が、およそ360度の全回転となる。
【００１５】
さらに、首の部分１４の外周側面のアンプル、好ましくはそれぞれの環状溝２８の外側に位置するアンプルは、ねじって取り付けられるべき注射器又はカニューラ本体に対して、ねじ山の潰れ防止として停止部分３６を有する。この方法によって、ねじ山部分とアンプルの容器１２の首の部分１４とへの損傷は、確実に回避される。対応する停止部分（示されていない）がまた、内周側面のねじ山の潰れ防止を形成する方法によって、首の部分１４の内側の内部環状溝３０に関しても備えることが出来る。さらに、溝形状の凹部を有する外部環状溝２８のそれぞれは、二つの長手方向のばり３８によって中断され、二つの長手方向のばり３８は、首の部分１４の直径方向で互いに反対側に、成形ばり４０の伸長によって形成され、成形ばり４０は、容器の部分１２の同じ面に位置して、詳述されていないがアンプルの製造に使用される吹付け成形機の成形の成形枠が、互いに接する分離面によって形成される。環状溝２８と結果的には首の部分１４も、適切な長手方向のばり３８によって堅固となり、ねじ山は、ねじって取付ける時の高いモーメントにさえも保護される。
【００１６】
環状溝２８、３０のそれぞれによって形成されるねじ山は、ねじ込まれる距離によって決定することが出来て、首の部分１４のほぼ中央の、図3に示されたような実施形態においては、ねじ山の回転が円周方向に短縮されることは、ねじ山の潰れ防止として停止部分３６を備えることにより明白になる。停止部分は、図3の方向から見る場合に、ねじ山の上に位置する。
【００１７】
図4は、非特許文献2に従う、カニューラ本体４２の使用面の端部を示す。カニューラ本体４２は自由端部に、めねじ山４６を持つ取付け部分４４を有していて、中央部の取付け部分４４は、設定可能な突起を有する表面で、取付け部分４４の自由終端部５０と部分的に重なる抜き取り開口部４８によって貫通される。そうでない抜き取り開口部４８は、詳述されていないカニューラ本体４２のプランジャ部分が、前から後方の位置に引っ張られる場合に、首の部分の開口部２０を経由してアンプル１０から液体の抜き取りを可能にする中央導管５２を備える。
【００１８】
前述の図に従うアンプルにおいて、頭の部分１６がトグル部分１８によって取り除かれると、首の部分の開口部２０を有する首の部分１４が明確になる。カニューラ本体４２の取付け部分４４のめねじ山４６は、抜き取り操作でアンプルの首の部分１４の外周部の螺旋状の環状溝２８に時計回りでねじ込むことが出来る。ねじって取付ける操作は、自由終端部５０が、この目的のために少し円錐形状に先細りする容器の部分１２の最上部５０と接するまで及び/又は、めねじ山４６の部分が首の部分１４の境界を定める停止部分３６に接するまで行われて、この方法によるねじって取付ける操作を終了する。
【００１９】
容器の部分１２の最上部５４は、少し円錐形状に先細りしていて、さらに終端部５０は平らで、カニューラ本体４２及びアンプルの長手軸５６と直角方向に伸びる停止リングとして形成されるから、首の部分１４の環状溝２８の中に空気が流れ込む隙間が形成されて、ねじ山が台形の輪郭を持つ形状で広い大きさを有する断面形状の結果として、比較的大量の空気が、環状溝２８の入口点３２を経由して首の部分の開口部２０のエッジ側の領域から、首の部分の開口部の中に入って容器の部分１２の内部２６に流れ込む。カニューラのプランジャが、カニューラ本体から後方へ即座に動くような迅速な抜き取り操作に対してさえ、その操作の間、かなり多量の空気が、環状溝２８を経由して結果として流れ続けるので、抜き取り操作に逆の作用を及ぼす負圧がアンプルの中に発生することなく、流体をアンプルから直接取り出すことが出来る。先行技術で述べられた、空気のみが結果として吸い込まれる短絡操作は、本発明に記載の解決策で確実に防止される。
【００２０】
適切な抜き取り操作が、渦巻状の誘導のためにさらに助長されて、環状溝２８を経由して供給される空気は、首の部分の開口部２０を経由して内部環状溝３０に沿って容器の部分１２の内部２６に運ばれる。それぞれの抜き取り状況によって、図3のように、内部の環状溝３０又は外部の環状溝２８が、唯一本の円弧を備えるだけでも十分である。しかし図2に示したように、溝形状のねじ山の窪みが、首の部分１４に沿って交互に配列する外部環状溝２８と内部環状溝３０とから広がり備わることが好ましい。抜き取り操作が終了したときに、カニューラ本体４２は、述べたような回転と反対方向の回転でアンプルから取り外すことが出来て、アンプルは既存の方法で処理される。
【００２１】
外部環状溝２８は、カニューラ本体４２のめねじ山４６に対応するものとして使用されるが、自由環状溝の断面は、好ましくは一種の渦巻状ガイドのような、抜き取り操作のために外部から容器の部分１２の内部に妨げられずに、結果として多少の空気が流れることが出来るような大きさである。本発明に記載の形状は、取付け部分４４にめねじ山４６を有しないが、滑らかな回転停止表面（示されていない）を有するカニューラ本体に対してもまた適用される。アンプルはまた、図４に示したような抜き取り開口部４８に匹敵する、唯一の抜き取り円錐体のある非特許文献1によるルーラ接続に対しても使用することが出来る。対応する空気の誘導は、首の部分１４の内部に伸びる環状溝３０を経由して管理される。ねじ螺旋形の複雑な環状溝の外形にもかかわらず、アンプルのためのこの抜き取り装置は、その他の周知の解決策と比較して追加の経費が発生しないので、製作のための経費効率が高く、周知の解決策と比較して本発明に記載のアンプルを用いると、カニューラの又は注射器の本体によって確実かつ迅速な流体の抜き取り操作が達成される。
【図面の簡単な説明】
【００２２】
【図１】図1は、第一実施形態に従う、首の部分とトグルクロージャを有するアンプル上部の容器の部分の斜視図を示す。
【図２】図2は、図1に示された容器の最上部分の首の部分の斜視断面図である。
【図３】図3は、図1及び2と比較して、別の実施形態を示す。
【図４】図4は、非特許文献2により、アンプル本体又は注射器本体の前部分の長手方向の断面を示す。
【図１】
0004643562.tif 000002
【図２】
0004643562.tif 000003
【図３】
0004643562.tif 000004
【図４】
0004643562.tif 000005